【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムであって、
前記基地局装置は、
前記上りリンクデータ送信許可信号を前記移動局装置へ送信し、
前記移動局装置は、
前記上りリンクデータ送信許可信号に受信品質情報の送信指示が含まれていない場合であっても第１の受信品質情報を定期的に前記基地局装置へ送信し、
前記上りリンクデータ送信許可信号に受信品質情報の送信指示が含まれている場合には、第２の受信品質情報を前記上りリンクデータチャネル（ＰＵＳＣＨ）を使用して前記基地局装置へ送信し、
前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする移動通信システム。
【請求項２】
前記物理フォーマットは、前記移動局装置が受信品質情報を前記基地局装置へ送信する際のリソース量であることを特徴とする請求項１に記載の移動通信システム。
【請求項３】
前記物理フォーマットは、前記移動局装置が受信品質情報を前記基地局装置へ送信する際の変調方式であることを特徴とする請求項１に記載の移動通信システム。
【請求項４】
前記物理フォーマットは、前記移動局装置が受信品質情報を前記基地局装置へ送信する際の符号化方式であることを特徴とする請求項１に記載の移動通信システム。
【請求項５】
基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムにおける移動局装置であって、
前記上りリンクデータ送信許可信号を前記基地局装置から受信する手段と、
前記上りリンクデータ送信許可信号に受信品質情報の送信指示が含まれていない場合であっても定期的に第１の受信品質情報を前記基地局装置へ送信する手段と、
前記上りリンクデータ送信許可信号に受信品質情報の送信指示が含まれている場合には、第２の受信品質情報を前記上りリンクデータチャネル（ＰＵＳＣＨ）を使用して前記基地局装置へ送信する手段と、を備え、
前記第１の受信品質情報を前記基地局装置へ送信する手段は、前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする移動局装置。
【請求項６】
前記物理フォーマットは、前記移動局装置が受信品質情報を前記基地局装置へ送信する際のリソース量であることを特徴とする請求項５に記載の移動局装置。
【請求項７】
前記物理フォーマットは、前記移動局装置が受信品質情報を前記基地局装置へ送信する際の変調方式であることを特徴とする請求項５に記載の移動局装置。
【請求項８】
前記物理フォーマットは、前記移動局装置が受信品質情報を前記基地局装置へ送信する際の符号化方式であることを特徴とする請求項５に記載の移動局装置。
【請求項９】
基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムにおける移動局装置の通信方法であって、
前記上りリンクデータ送信許可信号を前記基地局装置から受信し、
前記上りリンクデータ送信許可信号に受信品質情報の送信指示が含まれていない場合であっても定期的に第１の受信品質情報を前記基地局装置へ送信し、
前記上りリンクデータ送信許可信号に受信品質情報の送信指示が含まれている場合には、第２の受信品質情報を前記上りリンクデータチャネル（ＰＵＳＣＨ）を使用して前記基地局装置へ送信し、
前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする通信方法。
【請求項１０】
前記物理フォーマットは、前記移動局装置が受信品質情報を前記基地局装置へ送信する際のリソース量であることを特徴とする請求項９に記載の通信方法。
【請求項１１】
前記物理フォーマットは、前記移動局装置が受信品質情報を前記基地局装置へ送信する際の変調方式であることを特徴とする請求項９に記載の通信方法。
【請求項１２】
前記物理フォーマットは、前記移動局装置が受信品質情報を前記基地局装置へ送信する際の符号化方式であることを特徴とする請求項９に記載の通信方法。
【手続補正２】
【補正対象書類名】明細書
【補正対象項目名】００１７
【補正方法】変更
【補正の内容】
【００１７】
（１）上記の目的を達成するために、本発明は、次のような手段を講じた。すなわち、本発明の移動通信システムは、基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムであって、前記基地局装置は、前記上りリンクデータ送信許可信号を前記移動局装置へ送信し、前記移動局装置は、前記上りリンクデータ送信許可信号に受信品質情報の送信指示が含まれていない場合であっても第１の受信品質情報を定期的に前記基地局装置へ送信し、前記上りリンクデータ送信許可信号に受信品質情報の送信指示が含まれている場合には、第２の受信品質情報を前記上りリンクデータチャネル（ＰＵＳＣＨ）を使用して前記基地局装置へ送信し、前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする。
【手続補正３】
【補正対象書類名】明細書
【補正対象項目名】００１８
【補正方法】変更
【補正の内容】
【００１８】
（２）また、本発明の移動通信システムにおいて、前記物理フォーマットは、前記移動局装置が受信品質情報を前記基地局装置へ送信する際のリソース量であることを特徴とする。
【手続補正４】
【補正対象書類名】明細書
【補正対象項目名】００１９
【補正方法】変更
【補正の内容】
【００１９】
（３）また、本発明の移動通信システムにおいて、前記物理フォーマットは、前記移動局装置が受信品質情報を前記基地局装置へ送信する際の変調方式であることを特徴とする。
【手続補正５】
【補正対象書類名】明細書
【補正対象項目名】００２０
【補正方法】変更
【補正の内容】
【００２０】
（４）また、本発明の移動通信システムにおいて、前記物理フォーマットは、前記移動局装置が受信品質情報を前記基地局装置へ送信する際の符号化方式であることを特徴とする。
【手続補正６】
【補正対象書類名】明細書
【補正対象項目名】００２１
【補正方法】変更
【補正の内容】
【００２１】
（５）また、本発明の移動局装置は、基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムにおける移動局装置であって、前記上りリンクデータ送信許可信号を前記基地局装置から受信する手段と、前記上りリンクデータ送信許可信号に受信品質情報の送信指示が含まれていない場合であっても定期的に第１の受信品質情報を前記基地局装置へ送信する手段と、前記上りリンクデータ送信許可信号に受信品質情報の送信指示が含まれている場合には、第２の受信品質情報を前記上りリンクデータチャネル（ＰＵＳＣＨ）を使用して前記基地局装置へ送信する手段と、を備え、前記第１の受信品質情報を前記基地局装置へ送信する手段は、前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする。
【手続補正７】
【補正対象書類名】明細書
【補正対象項目名】００２２
【補正方法】変更
【補正の内容】
【００２２】
（６）また、本発明の移動局装置において、前記物理フォーマットは、前記移動局装置が受信品質情報を前記基地局装置へ送信する際のリソース量であることを特徴とする。
【手続補正８】
【補正対象書類名】明細書
【補正対象項目名】００２３
【補正方法】変更
【補正の内容】
【００２３】
（７）また、本発明の移動局装置において、前記物理フォーマットは、前記移動局装置が受信品質情報を前記基地局装置へ送信する際の変調方式であることを特徴とする。
【手続補正９】
【補正対象書類名】明細書
【補正対象項目名】００２４
【補正方法】変更
【補正の内容】
【００２４】
（８）また、本発明の移動局装置において、前記物理フォーマットは、前記移動局装置が受信品質情報を前記基地局装置へ送信する際の符号化方式であることを特徴とする。
【手続補正１０】
【補正対象書類名】明細書
【補正対象項目名】００２５
【補正方法】変更
【補正の内容】
【００２５】
（９）また、本発明の通信方法は、基地局装置が、上りリンクデータを送信するための時間および周波数から成る上りリンクデータチャネル（ＰＵＳＣＨ）のリソースを、上りリンクデータ送信許可信号を使用して移動局装置へ割り当てる移動通信システムにおける移動局装置の通信方法であって、前記上りリンクデータ送信許可信号を前記基地局装置から受信し、前記上りリンクデータ送信許可信号に受信品質情報の送信指示が含まれていない場合であっても定期的に第１の受信品質情報を前記基地局装置へ送信し、前記上りリンクデータ送信許可信号に受信品質情報の送信指示が含まれている場合には、第２の受信品質情報を前記上りリンクデータチャネル（ＰＵＳＣＨ）を使用して前記基地局装置へ送信し、前記第１の受信品質情報を前記上りリンクデータチャネル（ＰＵＳＣＨ）を使用して前記基地局装置へ送信する際に、前記第２の受信品質情報を前記上りリンクデータチャネル（ＰＵＳＣＨ）を使用して前記基地局装置へ送信する際の物理フォーマットとは異なる物理フォーマットで、前記第１の受信品質情報を前記基地局装置へ送信することを可能とすることを特徴とする。
【手続補正１１】
【補正対象書類名】明細書
【補正対象項目名】００２６
【補正方法】変更
【補正の内容】
【００２６】
（１０）また、本発明の通信方法において、前記物理フォーマットは、前記移動局装置が受信品質情報を前記基地局装置へ送信する際のリソース量であることを特徴とする。
【手続補正１２】
【補正対象書類名】明細書
【補正対象項目名】００２７
【補正方法】変更
【補正の内容】
【００２７】
（１１）また、本発明の通信方法において、前記物理フォーマットは、前記移動局装置が受信品質情報を前記基地局装置へ送信する際の変調方式であることを特徴とする。
【手続補正１３】
【補正対象書類名】明細書
【補正対象項目名】００２８
【補正方法】変更
【補正の内容】
【００２８】
（１２）また、本発明の通信方法において、前記物理フォーマットは、前記移動局装置が受信品質情報を前記基地局装置へ送信する際の符号化方式であることを特徴とする。